(57)【要約】電話装置１０での使用に適している電子電話帳４０の対応するエントリに電話呼を正確に整合するシステム３６、３８である。システム３６、３８は電話呼を識別しそれに応答して電話番号を与える第１の機構３８を含んでいる。第２の機構３６は電話装置に関連するホーム区域コードを決定する。第３の機構３８は、前記電子電話帳４０のエントリが区域コードを含んでいてもいなくても、電話呼を電子電話帳４０の対応するエントリと正確に整合するためホーム区域コードと電話番号を使用する。特別な実施形態では、第１の機構３８は電話呼を入来する呼または出て行く呼として識別する機構３８を含んでいる。呼者識別システム３８は入来する呼を識別し、それに応答して電話番号を与える。別の機構３８はユーザによりダイヤルされた出て行く番号を記憶し、それに応答して電話番号として出て行く番号を与える。無線電話装置１０の区域コードはコンピュータ３６に記憶されている。第３の機構３８は区域コードに基づいてデジットを電話番号の先頭に付加し、電話番号が７デジットの長さであるならば、それに応答して調節された番号を与える。第３の機構３８は、区域コードに基づいてデジットを７デジットの電話帳エントリの先頭に付加し、それに応答して調節されたエントリを与えることにより、７のみのデジットを有する電子電話帳のエントリを調節するための別の機構３８を含んでいる。付加的な機構３８は、調節された番号を、調節されたエントリを含んでいる電子電話帳３６のエントリへ比較し、調節された番号が電子電話帳４０のエントリに整合するならば、それに応答して第３の機構３８の出力として整合信号を与える。【選択図】図１
2004519138.tif 000002
【特許請求の範囲】
【請求項１】
電話呼を電子電話帳中の対応するエントリに正確に整合するシステムにおいて、
前記電話呼に対応する電話番号を識別し、それに応答して前記電話番号を与える第１の手段と、
ホーム区域コードを決定する第２の手段と、
前記電子電話帳のエントリが区域コードを含んでいてもいなくても、前記呼を前記電子電話帳の対応するエントリに正確に整合させるために前記ホーム区域コードと少なくとも前記電話番号の一部を使用する第３の手段とを具備しているシステム。
【請求項２】
前記第１の手段は、入来する呼または出て行く呼として前記電話呼を識別する手段を含んでいる請求項１記載のシステム。
【請求項３】
前記第１の手段は、入来する呼を識別し、それに応答して前記電話番号を与える呼者識別システムを含んでいる請求項２記載のシステム。
【請求項４】
前記第１の手段は、ユーザによりダイヤルされた出て行く呼を記憶し、それに応答して前記出て行く番号を前記電話番号として与える手段を含んでいる請求項２記載のシステム。
【請求項５】
前記第２の手段は、無線電話装置の前記区域コードを記憶するコンピュータを含んでいる請求項２記載のシステム。
【請求項６】
前記第３の手段は、前記電話番号が７デジットの長さであるならば前記区域コードに基づいて前記電話番号の先頭にデジットを付加し、それに応答して調節された番号を与える請求項２記載のシステム。
【請求項７】
前記第３の手段は、前記区域コードに基づいて前記デジットを前記７デジット電話帳のエントリの先頭に付加し、それに応答して調節されたエントリを与えることによって７デジットだけを有する前記電子電話帳のエントリを調節する手段を含んでいる請求項６記載のシステム。
【請求項８】
前記第３の手段は、前記調節されたエントリを含んでいる前記電子電話帳のエントリと前記調節された番号とを比較し、前記調節された番号が前記電子電話帳中のエントリに整合したならば、それに応答して前記第３の手段の出力として整合信号を与える請求項７記載の方法。
【請求項９】
入来する呼または出て行く呼を電話に関連する電子電話帳中の対応するエントリに正確に整合するシステムにおいて、
前記入来する呼または出て行く呼を識別し、それに応答して電話番号を与える第１の手段と、
前記電話番号が区域コード情報を含んでいるか否かを決定し、それに応答して第１の信号を与える第２の手段と、
前記電話に関連する区域コードを獲得し、それに応答して第２の信号を与える第３の手段と、
前記電話番号と前記第１および前記第２の信号に基づいて前記電子電話帳中の整合するエントリと前記入来する呼または出て行く呼を正確に整合する第４の手段とを具備しているシステム。
【請求項１０】
電子電話帳中の対応するエントリへ電話呼を正確に整合するシステムにおいて、
ユーザによりダイヤルされた電話番号を識別する第１の手段と、
ホーム区域コードを決定する第２の手段と、
前記電子電話帳のエントリが区域コードを含んでいてもいなくても、前記電話呼を前記電子電話帳の対応するエントリと正確に整合するために前記ホーム区域コードと少なくとも前記電話番号の一部を使用する第３の手段とを具備しているシステム。
【請求項１１】
電子電話帳中の対応するエントリへ電話呼を正確に整合する方法において、
前記電話呼を識別し、それに応答して電話番号を与え、
ホーム区域コードを決定し、
前記電子電話帳中のエントリが区域コードを含んでいてもいなくても、前記電話呼を前記電子電話帳の対応するエントリと正確に整合するために前記ホーム区域コードと少なくとも前記電話番号の一部分とを使用するステップを含んでいる方法。
【発明の詳細な説明】
【０００１】
【発明の属する技術分野】
本発明は通信システム、特に入来する呼および、または出て行く呼を無線電話または他の通信装置の電子電話帳中のエントリと整合させるシステムおよび方法に関する。
【０００２】
【従来の技術】
無線電話は探索および救助からビジネス応用までの範囲にわたる種々の需要のある応用で使用されている。このような応用は入来する呼と出て行く呼を効率的に送受信するための特色のある無線電話を求めている。
【０００３】
無線電話技術が進歩するにつれて、さらに多くの特色のある要求が増加している。既存の無線電話は典型的に電話の機能を改良するため電話帳ソフトウェア等のソフトウェアを動作するためのコンピュータを含んでいる。現在開発中および既に開発された多くのソフトウェアは入来する呼および出て行く呼を電子電話帳の適切なエントリへ正確に整合することを必要とする。例えば、電子電話帳にリストされているパーティから入来する呼または出て行く呼を追跡する呼記録の維持ソフトウェアと、入来する呼が電子電話帳中のエントリと整合したときにユーザに通知する呼者識別ソフトウェアは両者ともに入来する呼および／または出て行く呼と電話帳中のエントリとの正確な整合を必要とする。
【０００４】
【発明が解決しようとする課題】
現在、入来する呼および／または出て行く呼を電話帳中のエントリと整合するシステムおよび方法は、ダイヤルされた番号または入来する呼者識別番号と、電子電話帳中の対応するエントリとの間の正確な整合に依存している。残念ながら、このような方法はしばしば入来する呼および出て行く呼を電子電話帳の適切なエントリに正確に整合できない。例えばユーザが６１９の区域コードで動作しており、７デジットの番号をダイヤルしたならば、ダイヤルされた電話番号は６１９の区域コードを含んでいる電子電話帳の対応する１０デジットエントリに整合しない。同様に、ユーザが１０デジット番号ではなく電子電話帳の７デジット番号を入力すると、７デジット電話帳エントリは類似の最後の７デジットを有する異なる区域コードから受信された呼を不正確に整合させる。
【０００５】
したがって、入来する呼と出て行く呼を電子電話帳中の対応するエントリと正確に整合させ、誤整合の区域コードから生じる偶発的なエラーを防止するシステムおよび方法が技術で必要とされている。
【０００６】
【課題を解決するための手段】
技術におけるこの必要性は電話呼を本発明の電子電話帳中の対応するエントリに正確に整合するシステムにより解決される。図示の実施形態では、本発明は無線電話装置で使用されるのに適しており、電話呼を識別し、それに応答して電話番号を与える第１の機構を含んでいる。第２の機構は電話に関連するホーム区域コードを決定する。第３の機構は、電子電話帳中のエントリが区域コードを含んでいてもいなくても、電話呼を電子電話帳中の対応するエントリに正確に整合させるためにホーム区域コードと少なくとも一部の電話番号を使用する。
【０００７】
特別な実施形態では、第１の機構は入来する呼または出て行く呼として電話呼を識別する機構を含んでいる。呼者識別システムは入来する呼を識別し、それに応答して電話番号を与える。別の機構はユーザによりダイヤルされた出て行く番号を記憶し、それに応答して出て行く番号を電話番号として与える。
【０００８】
無線電話の区域コードはメモリ中に記憶される。電話番号が７デジットの長さであり、それに応答して調節された番号を与えるならば、第３の機構は区域コードに基づいてデジットを電話番号の先頭に付加する。第３の機構は、区域コードに基づいてデジットを７デジットの電話帳エントリの先頭に付加し、それに応答して調節されたエントリを与えることにより、７のみのデジットを有する電子電話帳中のエントリを調節するための別の機構を含んでいる。付加的な機構は、調節された番号を、調節されたエントリを含んでいる電子電話帳中のエントリと比較し、調節された番号が電子電話帳のエントリと整合するならば、それに応答して第３の機構の出力として整合信号を与える。
【０００９】
本発明の優れた設計は第３の機構により容易にされ、これは入来する番号と出て行く番号を電子電話帳中のエントリと整合させる比較を行う前に、適切な区域コード情報を７デジット番号に添付することによって、電子住所録の７デジット電話番号と７デジットダイヤル番号に関連する区域コード情報がないために生じる整合エラーを除去する。
【００１０】
【発明の実施の形態】
本発明を特定の応用の図示の実施形態を参照してここで説明するが、本発明はそれに限定されないことを理解すべきである。当業者は付加的な変更、応用、応用、実施形態をその技術的範囲内および本発明が非常に有用である付加的な分野で認識するであろう。
【００１１】
図１は本発明にしたがって構成された無線電話装置１０の概略図である。無線電話装置１０はデュプレクサ３２に接続されているアンテナ３０を含んでいる。デュプレクサ３２はトランシーバ３４に接続され、これは呼者ＩＤおよび本発明にしたがって構成された電話帳整合ソフトウェア３８を作動させるコンピュータ３６に接続されている。コンピュータ３６は電子電話帳４０へアクセスする。コンピュータ３６はデータインターフェースアダプタ４４、音声コード化／デコード回路４６、キーパッド４８およびスクリーン５０にも接続されている。音声コード化／デコード回路４６はマイクロホン５２とスピーカ５４に接続されている。明瞭にするために、クロック回路および電源等の付加的な回路はこの無線電話装置１０では示されていないが、当業者は必須の付加的な回路が含まれる場所と、それを含む方法を知っている。同様に明瞭にするために、電子電話帳４０はコンピュータ３６とは別々に示されているが、実際には、電子電話帳４０はソフトウェアで構成され、コンピュータメモリ（図示せず）に記憶されることが好ましい。
【００１２】
動作において、アンテナ３０はデュプレクサ３２を介して信号を送信し受信する。デュプレクサ３２は送信機能と受信機能との間でアンテナ３０のリソースの共用を容易にする。トランシーバ３４はコード化された音声信号または交渉信号等の信号をアンテナ３０とデュプレクサ３２を介して送信するための送信回路を含んでいる。トランシーバ３４はまたは別の電話装置、基地局または移動体中央交換局（図示せず）からサービス交渉メッセージまたはコード化された音声信号等の信号を無線ネットワーク１８を介して受信するための受信回路を含んでいる。トランシーバ３４はコンピュータ３６を介して処理するために、受信信号をデジタルベースバンド信号に変換するのに必要とされる下方変換回路も含んでいる。さらに、トランシーバ３４はアンテナ３０を介して送信するために、デジタルベースバンド信号から無線周波数信号へ送信信号を変換するのに必要とされる上方変換回路を含んでいる。
【００１３】
ユーザはキーパッド４８により番号をダイヤルして呼を開始してもよい。コンピュータ３６は、トランシーバ３４、デュプレクサ３２、アンテナ３０を経て無線ネットワーク１８に関連する利用可能な無線サービスプロバイダとサービス接続を交渉する。サービスが設定されると、音声、データまたはファックス情報はエアインターフェースリンク１４によって転送される。音声呼では、ユーザの音声はマイクロホン５２へ入力され、音声コード化／デコード回路４６によりコード化され、コンピュータ３６、トランシーバ３４、デュプレクサ３２、アンテナ３０を経て送信される。同様に、受信された音声メッセージは音声コード化／デコード回路４６によって、音声としてスピーカ５４を経てデコードされる。データインターフェースアダプタ４４はコンピュータ３６で作動するソフトウェアがグレードアップされ、あるいは変更されることを可能にする。データインターフェースアダプタ４４はまた外部コンピュータ（図示せず）の外部モデムとして無線電話装置１０の使用を容易にする。この場合、モデムソフトウェアはコンピュータ３６および／または外部コンピュータで作動し、外部コンピュータとの通信を容易にする。このようなモデムソフトウェアは技術でよく知られており、当業者により開発または購入されることができる。
【００１４】
本発明の実施形態では、コンピュータ３６は特有の電話帳整合ソフトウェア３８を動作し、これは本発明にしたがって構成される。特有の電話帳整合ソフトウェア３８は出て行く呼のダイヤリングまたは入来する呼の受信について無線電話装置１０を監視し、整合する入力が存在するならば、関連する電話番号を電子電話帳４０中のエントリと整合する。電話帳整合ソフトウェア３８は技術で知られている呼者ＩＤソフトウェア（図示せず）も含んでいる。
【００１５】
本発明の優れた電話帳整合ソフトウェア３８は、比較のために１０デジットの番号を生成するために、出て行く電話番号の先頭に無線電話装置１０に関連する地域コードを挿入することによって、地域コードを考慮しない情報に関するエラーを克服する。結果的な１０デジットの番号は電子電話帳４０の１０デジットの電話番号エントリと比較される。電子電話帳中のエントリと１０デジットの出て行く番号との比較をする前に、電子電話帳４０の全ての７デジットの番号は７デジットの番号の先頭に無線電話装置１０の地域コード（ホーム区域コード）を挿入することによって１０デジットの番号に変換される。無線電話装置１０の地域コードは予め定められ、電子電話帳４０のようなメモリに記憶される。同様に、１０デジットの入来する番号と、電子電話帳４０のエントリとを比較する前に、電子電話帳４０の全ての７デジットの番号は無線電話装置１０の地域コード（ホーム区域コード）を付加（ｐｒｅｐｅｎｄ ）することによって１０デジットの番号に変換される。
【００１６】
通常の電話帳整合システムは全ての７デジットの電話帳エントリと、最後の７デジットが７デジットの電話帳のエントリと整合する１０デジットの入来または出て行く電話番号との整合を示し、しばしば不正確な電話帳の整合を生じる。同様に、通常のシステムは７デジットの出て行く番号と、１０デジットの電話番号エントリの最後の７デジットとの整合を示し、しばしば不正確な電話帳の整合を生じる。これらの不正確性は以下詳しく説明するように、特有のソフトウェア３８と、関連する無線電話装置１０により解決される。
【００１７】
入来する電話呼を電話帳のエントリに整合することを容易にするための本発明のユニークなシステムは、入来する呼待機呼および関連する信号を処理するための音声認識を使用するシステムで特に実効的である。本発明により使用するのに適した入来する呼待機呼を実効的に処理するためのシステムは、同時に出願された米国特許明細書（代理人の明細書番号ＱＣＰＡ９９０２７４、Ｓ．Ｈａｆｉｚ 、発明の名称“ＳＹＳＴＥＭ ＡＮＤ ＭＥＴＨＯＤ ＦＯＲ ＥＮＨＡＮＣＩＮＧ ＣＡＬＬ−ＷＡＩＴＩＮＧ ＦＵＮＣＴＩＯＮＡＬＩＴＹ ＶＩＡ ＶＯＩＣＥ ＲＥＣＯＧＮＩＴＩＯＮ”）に開示されており、本出願人に譲渡され、ここで参考文献とされている。
【００１８】
図２は入来および出て行く呼を図１の電子電話帳４０のエントリに実効的に整合するための図１のソフトウェア３８のフロー図である。図１および２を参照して、初期監視機構６０では、ソフトウェア３８はダイヤルされた出て行く呼と、入来する呼の受信に対して無線電話装置１０を監視する。入来する呼は本発明の技術的範囲を逸脱せずに、標準的な入来呼、呼待機呼、または別のタイプの入来する呼であってもよい。
【００１９】
入来する呼が無線電話装置１０によって受信され、ユーザが入来する呼に返答したならば、制御は呼者ＩＤ機構６２へ移り、ここで、入来する呼の電話番号は呼者識別システムおよび技術で知られている方法によって、利用可能であるか制限されていないかを決定される。必須の呼者ＩＤ機能がソフトウェア３８に埋設される。呼者ＩＤ機能は技術で知られており、容易に開発され、注文され、無線電話装置１０のソフトウェア３８または他のハードウェア（図示せず）に構成される。当業者は呼者ＩＤシステムが適切に動作するために、呼者ＩＤは無線電話装置１０が通信を行うネットワークによりサポートされなければならないことを認識するであろう。本発明は１０デジットの電話番号を与える呼者ＩＤシステムで使用するのに適しているが、本発明は本発明の技術的範囲を逸脱せずに、長さの異なる国際番号等の呼者ＩＤシステムにより与えられる他の長さの番号で使用するのに容易に適合される。
【００２０】
呼者ＩＤ機構６２で、ソフトウェア３８が入来する番号が制限された番号であるかまたは有効ではないことを決定したならば、制御は第１の指示機構６４に移され、ここでソフトウェア３８はディスプレイスクリーン５０により入来する呼が制限された番号からのものであることを示す。１つの例示的な表示されるメッセージは“制限された番号から入来する呼”である。第１のディスプレイ機構６４の後、制御は整合しない機構６６へ移動し、ここでソフトウェア３８は入来する呼と、電子電話帳４０のエントリとの間に整合が発見されないという指示を戻す。その代わりに、整合のない呼の特別なエントリは電子電話帳４０中で生成されてもよく、制限された呼または整合しない呼は整合のない呼カテゴリに整合されるとして考えられることができる。
【００２１】
呼者ＩＤ機構６２が受信された呼に関連する電話番号を適切に獲得したならば、制御は最初の先頭に付加する機構６８へ移り、ここで７デジットの電話番号エントリへ付加するために無線電話装置１０のホーム区域コードの前に付加され、その結果１０デジットの一時的な電話帳のエントリを生成し、これはその後整合のため入来する番号と比較される。無線電話装置１０のホーム区域コードは電話コンピュータメモリに記憶されるか、関連する通信ネットワーク（図示せず）のメモリから検索可能である。代わりに、一時的電話帳はコンピュータ３６のメモリに記憶される永久的な電話帳として構成されてもよい。
【００２２】
監視機構が、出て行く呼がダイヤルされていることを決定したならば、制御はカウント機構７０に移され、ここで出て行く電話番号のデジット番号がカウントされる。出て行く番号が７デジット番号であるならば、制御は第２の先頭への付加機構７２に移り、ここで無線電話装置１０のホーム区域コードは比較目的のために、出て行く番号の前に付加される。第２の先頭に付加する機構７２の後、制御は第１の機構６８に移される。出て行く番号が１０デジット番号であるならば、制御は直接的に第１の機構６８へ移される。
【００２３】
機構６２と７０は入来するまたは出て行く電話呼に対応する電話番号を識別する機構をそれぞれ具備し、以下詳しく説明するように、それに応答してソフトウェア３８のその後の機構によって使用されるために電話番号を与える。
【００２４】
１０デジット番号の一時的電話帳が第１の機構６８により一度作成されると、制御は走査機構７４へ移され、ここで一時的電話帳は出て行く番号と整合するエントリを一時的電話帳で検索し、これはまだ１０デジット番号ではないならば、第２の機構７２により１０デジット番号または１０デジットの入来する番号に調節される。整合が発見されたならば、制御は整合機構７６へ移動し、ここでソフトウェア３８は他のルーチンまたは呼記録保持ソフトウェア等のソフトウェアにより使用され電話帳の整合を処理するための整合指示に戻る。整合が発見されないならば、制御は整合なし機構６６へ移動される。整合なし機構６６または整合機構７６が一度完了すると、ソフトウェア３８は完了する。
【００２５】
図２のソフトウェア３８を実行するのに必要な正確なプログラミングの詳細は本発明の考察を実施する当業者により容易に開発されるであろう。
【００２６】
以上、本発明を特別な応用について特別な実施形態を参照してここで説明した。本発明を実行する当業者は付加的な変形、応用、実施形態をその技術的範囲内で認識するであろう。
【００２７】
それ故、任意のおよび全てのこのような応用、変形、実施形態を本発明の技術的範囲内でカバーすることが特許請求の範囲により意図されている。
【図面の簡単な説明】
【図１】
本発明の考察にしたがって構成された無線電話装置の概略図。
【図２】
入来および出て行く呼を図１の電話コンピュータで作動する電子電話帳のエントリに効率よく整合するためのソフトウェアのフロー図。
【図１】
2004519138.tif 000003
【図２】
2004519138.tif 000004
【国際公開パンフレット】
2004519138.tif 000005
2004519138.tif 000006
2004519138.tif 000007
2004519138.tif 000008
2004519138.tif 000009
2004519138.tif 000010
2004519138.tif 000011
2004519138.tif 000012
2004519138.tif 000013
2004519138.tif 000014
2004519138.tif 000015
2004519138.tif 000016
【国際調査報告】
2004519138.tif 000017
2004519138.tif 000018